【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
グラフェンナノポアセンサであって、
実質的にベアの、自己支持されている単層グラフェン膜であって、第1のグラフェン膜表面から第1のグラフェン膜表面の対向側にある第2のグラフェン膜表面までグラフェン膜の厚さを通って延在するナノポアを含む、グラフェン膜と、
イオン溶液中の化学種を第1のグラフェン膜表面においてナノポアに提供するための、第1のグラフェン膜表面から第1のリザーバまでの接続部と、
第1のグラフェン膜表面から第2のグラフェン膜表面までナノポアを通って該化学種及びイオン溶液が転位した後に該化学種及びイオン溶液を収集するための、第2のグラフェン膜表面から第2のリザーバまでの接続部と、
ナノポアの対向する両側に接続されている、グラフェン膜におけるナノポアを通るイオン電流の流れを測定するための電気回路と
を含むグラフェンナノポアセンサ。
【請求項２】
電気回路が、グラフェン膜におけるナノポアを通るイオン電流の流れを測定するために、第1のイオン溶液と第2のイオン溶液との間に接続されている、又は
電気回路が、ナノポアを通る時間依存性イオン電流の流れを測定するために接続された電流モニターを含み、特に、電流モニターが、ナノポアを通る化学種の転位を示す時間依存性イオン電流の流れの遮断を測定するために接続されている、請求項1に記載のグラフェンナノポアセンサ。
【請求項３】
ナノポアに電圧をかけて、ナノポアを通る化学種の転位を電気泳動的に引き起こすための、第1及び第2のイオン溶液のそれぞれに設けられた電極をさらに含む、請求項1に記載のグラフェンナノポアセンサ。
【請求項４】
i)イオン溶液が、約2Mを超える塩含量を特徴とする、又は
ii)イオン溶液が、約8を超えるpHを特徴とする、又は
iii)イオン溶液がKClである、請求項1に記載のグラフェンナノポアセンサ。
【請求項５】
ナノポアが、ナノポアが延在するグラフェン膜の第1の表面と第2の表面との間のグラフェン膜厚より大きい直径を特徴とする、請求項1に記載のグラフェンナノポアセンサ。
【請求項６】
i)ナノポアが、約1nmと約10nmとの間である直径を特徴とする、又は
ii)ナノポアが、約1nmと約5nmとの間である直径を特徴とする、又は
iii)ナノポアが、約3nm未満である直径を特徴とする、又は
iv)ナノポアが、約2.5nm未満である直径を特徴とする、請求項1に記載のグラフェンナノポアセンサ。
【請求項７】
i)グラフェン膜が、約2nm未満である厚さを特徴とする、又は
ii)グラフェン膜が、約1nm未満である厚さを特徴とする、又は
iii)グラフェン膜が、約0.7nm未満である厚さを特徴とする、請求項1に記載のグラフェンナノポアセンサ。
【請求項８】
ナノポアの直径が、ナノポア中の化学種の直径と比べ約5%以下だけ大きいように構成されている、請求項1に記載のグラフェンナノポアセンサ。
【請求項９】
グラフェン膜が、膜の縁部において膜フレーム構造体によって機械的に支持されている、請求項1に記載のグラフェンナノポアセンサ。
【請求項１０】
グラフェンナノポアセンサであって、
実質的にベアの、自己支持されている単層グラフェン膜であって、第1のグラフェン膜表面から第1のグラフェン表面の対向側にある第2のグラフェン膜表面までグラフェン膜の厚さを通って延在し、約3nm未満であってグラフェン厚さを超える直径を有するナノポアを含むグラフェン膜と、
ナノポアの対向する両側に接続されている、グラフェン膜におけるナノポアを通るイオン電流の流れを測定するための電気回路と
を含むグラフェンナノポアセンサ。
【請求項１１】
イオン溶液中のポリマー分子を第1のグラフェン膜表面においてナノポアに提供するための、第1のグラフェン膜表面から第1のリザーバまでの接続部と、
第1のグラフェン膜表面から第2のグラフェン膜表面までナノポアを通ってポリマー分子及びイオン溶液が転位した後にポリマー分子及びイオン溶液を収集するための、第2のグラフェン膜表面から第2のリザーバまでの接続部と
をさらに含む、請求項10に記載のグラフェンナノポアセンサ。
【請求項１２】
電流モニターが、ナノポアを通るポリマー分子の転位を示す時間依存性イオン電流の流れの遮断を測定するために接続されている、又は
イオン溶液が約2Mを超える塩含量及び約8を超えるpHを特徴とする、請求項10に記載のグラフェンナノポアセンサ。
【請求項１３】
ナノポアに電圧をかけて、ナノポアの化学種の転位を電気泳動的に引き起こすための、第1及び第2のイオン溶液のそれぞれに設けられた電極をさらに含む、請求項11に記載のグラフェンナノポアセンサ。
【請求項１４】
ナノポアセンサであって、
第1の膜表面と第1の膜表面の対向側にある第2の膜表面との間にある、約1nm未満である厚さを有する固体状態膜と、
第1及び第2の膜表面の間の膜厚を通して延在し、膜厚より大きい直径を有するナノポアと、
イオン溶液中の化学種を第1の膜表面においてナノポアに提供するための、第1の膜表面から第1のリザーバまでの接続部と、
第1の膜表面から第2の膜表面までナノポアを通って該化学種及びイオン溶液が転位した後に該化学種及びイオン溶液を収集するための、第2の膜表面から第2のリザーバまでの接続部と、
固体状態膜におけるナノポアを通るイオン溶液中の化学種の転位をモニタリングするために接続された電気回路と
を含む、ナノポアセンサ。
【請求項１５】
ナノポアが、約1nmと約10nmとの間である直径を特徴とする、
ナノポアが、約1nmと約5nmとの間である直径を特徴とする、
ナノポアが、約3nm未満である直径を特徴とする、
ナノポアが、約2.5nm未満である直径を特徴とする、又は
ナノポアが、ナノポアを通って転位するイオン溶液中の化学種に特有の直径と比べ約5%以下だけ大きい直径を特徴とする、請求項14に記載のナノポアセンサ。
【請求項１６】
ポリマー分子を評価するための方法であって、
イオン溶液中に、評価すべきポリマー分子を提供することと、
イオン溶液中のポリマー分子を、実質的にベアの、自己支持されている単層グラフェン膜におけるナノポアを通って、第1のグラフェン膜表面から第1のグラフェン表面の対向側にある第2のグラフェン膜表面まで転位させることと、
グラフェン膜におけるナノポアを通るイオン電流の流れをモニタリングすることと
を含む方法。
【請求項１７】
イオン電流の流れをモニタリングすることが、ナノポアを通るポリマー分子の転位を示す時間依存性イオン電流の流れの遮断を測定することを含む、請求項16に記載の方法。
【請求項１８】
ナノポアに電圧をかけて、ポリマー分子をナノポアを通って電気泳動的に転位させることをさらに含む、請求項16に記載の方法。
【請求項１９】
ナノポアが、ナノポアが延在するグラフェン膜の第1の表面と第2の表面との間のグラフェン膜厚より大きい直径を特徴とする、請求項16に記載の方法。
【請求項２０】
ナノポアの直径が、ナノポアを通って転位するポリマー分子の直径と比べ約5%以下だけ大きい、請求項16に記載の方法。
【請求項２１】
イオン電流の流れをモニタリングすることが、ナノポアを通って転位するポリマー分子の直径を示す時間依存性イオン電流の流れの遮断を測定することを含む、請求項16に記載の方法。
【請求項２２】
ナノポアを通って転位するイオン溶液中のポリマーが、生体分子、DNA分子、RNA分子、オリゴヌクレオチド、又はヌクレオチドを含む、請求項16に記載の方法。